(57)【特許請求の範囲】
【請求項１】
機器筐体と、
前記機器筐体内に設けられた複数の電子部品と、
前記複数の電子部品のうち温度検出対象の電子部品の温度を検出する温度検出部と、
前記温度検出部を支持する支持部と、を備え、
前記機器筐体内には、前記複数の電子部品を冷却するように空気を導く主流路が形成され、
前記支持部は、
前記温度検出部を支持する第１支持板部と、
前記第１支持板部と対向する第２支持板部と、
前記第１支持板部と前記第２支持板部とを保持する支持板保持部と、
前記第１支持板部と前記第２支持板部と前記支持板保持部とで囲まれた空間により構成され、前記主流路の前記温度検出対象の電子部品を介した空気の一部を取り込む副流路と、を有する
ことを特徴とする電子機器。
【請求項２】
請求項１に記載の電子機器において、
前記支持部には、前記温度検出部で温度が検出された後の空気を、前記副流路の外部へ導く副流路空気導出部が設けられている
ことを特徴とする電子機器。
【請求項３】
請求項２に記載の電子機器において、
前記副流路空気導出部は、前記温度検出部で温度が検出された後の空気を前記主流路に再度導く
ことを特徴とする電子機器。
【請求項４】
請求項１から請求項３のいずれかに記載の電子機器において、
前記機器筐体には、互いに略直交する第１面部及び第２面部が設けられ、
前記第１面部には、前記第１支持板部の平面形状に対応する形状の切欠部が設けられ、
前記第２面部には、前記第１支持板部及び前記第２支持板部を前記第１支持板部の面方向に沿って挿通可能な挿通開口部が設けられ、
前記第１支持板部における当該第１支持板部の挿通方向と平行な両側縁には、前記切欠部の縁との係合により前記支持部を前記挿通方向に案内して、前記支持部を前記機器筐体に取り付ける取付案内部が設けられている
ことを特徴とする電子機器。
【請求項５】
請求項１から請求項４のいずれかに記載の電子機器において、
電源コネクターを介して供給された電力を外部に供給する電力供給部を備え、
前記複数の電子部品は、前記電力供給部に設けられ、
当該電子機器は、電源装置である
ことを特徴とする電子機器。
【請求項６】
光源装置と、前記光源装置から射出された光束を変調する光変調装置と、前記光変調装置にて変調された光束を投射する投射光学装置と、請求項５に記載された電子機器とを備えた
ことを特徴とするプロジェクター。
【発明の詳細な説明】
【技術分野】
【０００１】
本発明は、電子機器、及びプロジェクターに関する。
【背景技術】
【０００２】
従来、プロジェクターの電源装置において、当該電源装置の部品を適切に冷却するための検討がなされている（例えば、特許文献１参照）。
この特許文献１に記載の電源装置では、電源筐体内の冷却ファンから送出される空気の経路上や、熱を発生する電子部品の近傍、あるいは上昇した熱により温められる電源筐体の上部に設置された温度センサーで、電源装置の電源筐体内の温度を検出している。そして、この検出された温度に基づいて、冷却ファンの回転数を制御している。
【先行技術文献】
【特許文献】
【０００３】
【特許文献１】特開２０１０−１６１８９０号公報
【発明の概要】
【発明が解決しようとする課題】
【０００４】
しかしながら、特許文献１に記載の電源装置のように、電子部品の近傍に温度センサーを配置すると、温度センサーが絶縁破壊してしまうおそれがある。また、空気の経路上や電源筐体上部に温度センサーを配置すると、当該温度センサーで検出された温度には、温度検出対象以外の電子部品の熱の影響も含まれてしまう。このことにより、温度検出対象の電子部品の温度を適切に検出できない。
【０００５】
本発明の目的は、温度検出対象の電子部品の温度を適切に検出可能な電子機器、及びプロジェクターを提供することにある。
【課題を解決するための手段】
【０００６】
本発明の電子機器は、機器筐体と、前記機器筐体内に設けられた複数の電子部品と、前記複数の電子部品のうち温度検出対象の電子部品の温度を検出する温度検出部と、前記温度検出部を支持する支持部とを備え、前記機器筐体内には、前記複数の電子部品を冷却するように空気を導く主流路が形成され、前記支持部は、前記温度検出部を支持する第１支持板部と、前記第１支持板部と対向する第２支持板部と、前記第１支持板部と前記第２支持板部とを保持する支持板保持部と、前記第１支持板部と前記第２支持板部と前記支持板保持部とで囲まれた空間により構成され、前記主流路の前記温度検出対象の電子部品を介した空気の一部を取り込む副流路と、を有することを特徴とする。
【０００７】
本発明の電子機器では、複数の電子部品が設けられた機器筐体内に、当該複数の電子部品を冷却するように空気を導く主流路を設けている。さらに、複数の電子部品のうち温度検出対象の電子部品（以下、検出対象部品という）の温度を検出する温度検出部を、支持部で支持させている。そして、支持部に、主流路の検出対象部品を介した空気の一部を取り込む副流路を形成している。
ここで、主流路の検出対象部品を介した空気は、検出対象部品により温められる。このことにより、検出対象部品で温められた直後の空気（以下、被加温空気という）の一部を副流路に取り込み、当該被加温空気の温度を温度検出部で検出することで、検出対象部品のみの温度を適切に検出できる。また、検出対象部品の近傍に温度検出部を配置していないので、温度検出部が絶縁破壊することを防止できる。
また、第１支持板部と第２支持板部と支持板保持部とで囲まれた空間により副流路を構成しているため、簡単な構成で副流路を設けることができる。
【０００８】
本発明の電子機器では、前記支持部には、前記温度検出部で温度が検出された後の空気を、前記副流路の外部へ導く副流路空気導出部が設けられていることが好ましい。
ここで、副流路空気導出部を設けない場合、温度が検出された後の空気（以下、温度検出後空気という）と被加温空気とが、副流路内で混ざってしまい、検出対象部品の温度を適切に検出できないおそれがある。
これに対して、本発明では、副流路空気導出部を設けて、温度検出後空気を副流路の外部に導くことで、温度検出後空気と、新たに副流路内に導かれる被加温空気とが副流路内で混ざることを防止でき、検出対象部品の温度を適切に検出できる。
【０００９】
本発明の電子機器では、前記副流路空気導出部は、前記温度検出部で温度が検出された後の空気を前記主流路に再度導くことが好ましい。
本発明では、温度検出後空気を主流路に再度導くことで、温度検出後空気を主流路に導かないときと比べて、主流路の空気の量を増やすことができ、検出非対象部品の冷却効率を向上できる。
【００１１】
本発明の電子機器では、前記機器筐体には、互いに略直交する第１面部及び第２面部が設けられ、前記第１面部には、前記第１支持板部の平面形状に対応する形状の切欠部が設けられ、前記第２面部には、前記第１支持板部及び前記第２支持板部を前記第１支持板部の面方向に沿って挿通可能な挿通開口部が設けられ、前記第１支持板部における当該第１支持板部の挿通方向と平行な両側縁には、前記切欠部の縁との係合により前記支持部を前記挿通方向に案内して、前記支持部を前記機器筐体に取り付ける取付案内部が設けられていることが好ましい。
本発明では、第１支持板部の取付案内部と、切欠部の縁とを係合させて、支持部を第１支持板部の挿通方向に沿って案内するだけの簡単な方法で、支持部を機器筐体に取り付けることができる。また、温度検出部を支持する第１支持板部に、取付案内部を設けているため、部品点数の増加を抑制できる。
【００１２】
本発明の電子機器は、電源コネクターを介して供給された電力を外部に供給する電源基板を備え、前記複数の電子部品は、前記電源基板に搭載され、当該電子機器は、電源装置であることが好ましい。
本発明では、上述した作用及び効果を享受可能な電源装置を提供できる。
【００１３】
本発明のプロジェクターは、光源装置と、前記光源装置から射出された光束を変調する光変調装置と、前記光変調装置にて変調された光束を投射する投射光学装置と、上述の電子機器とを備えたことを特徴とする。
本発明では、プロジェクターは、上述した電子機器である電源装置を備えるので、上述した電源装置と同様の作用及び効果を享受できる。
【図面の簡単な説明】
【００１４】
【図１】本実施形態におけるプロジェクターを模式的に示す図。
【図２】前記実施形態における電源装置の前面側からの斜視図。
【図３】前記実施形態における電源装置の後面側からの斜視図。
【図４】前記実施形態における電源装置の前面側からの分解斜視図。
【図５】前記実施形態における電源基板の前面側からの斜視図。
【図６】前記実施形態における図２のVI−VI線に沿った断面図。
【発明を実施するための形態】
【００１５】
以下、本発明の一実施形態を図面に基づいて説明する。
〔プロジェクターの構成〕
図１は、プロジェクター１の概略構成を示す図である。
プロジェクター１は、画像を投射してスクリーン（図示略）上に投影画像を表示する。
そして、このプロジェクター１は、図１に示すように、外装筐体２内部に収納される光学ユニット３と、電子機器としての電源装置４と、電源コネクター９と、プロジェクター１の各構成部材の動作を制御する制御装置（図示略）等を備える。
【００１６】
〔光学ユニットの構成〕
光学ユニット３は、図１に示すように、発光管３１１及びリフレクター３１２を有する光源装置３１と、レンズアレイ３２１，３２２、偏光変換素子３２３、及び重畳レンズ３２４を有する照明光学装置３２と、ダイクロイックミラー３３１，３３２、及び反射ミラー３３３を有する色分離光学装置３３と、入射側レンズ３４１、リレーレンズ３４２、及び反射ミラー３４３，３４４を有するリレー光学装置３４と、３つの入射側偏光板３５と、３つの光変調装置３６と、３つの出射側偏光板３７と、色合成光学装置としてのクロスダイクロイックプリズム３８と、投射光学装置としての投射レンズ３９とを備える。
【００１７】
そして、光学ユニット３では、上述した構成により、光源装置３１から出射され照明光学装置３２を介した光束は、色分離光学装置３３にて赤（Ｒ）、緑（Ｇ）、青（Ｂ）の３つの色光に分離される。また、分離された各色光は、各光変調装置３６にてそれぞれ変調される。変調された各色光は、クロスダイクロイックプリズム３８にて合成されて画像となり、投射レンズ３９にてスクリーンに投射される。
なお、各部材３１〜３９については、一般的なプロジェクターの光学系として用いられるものであるため、説明を省略する。
【００１８】
〔電源装置の構成〕
図２は、電源装置４の前面側からの斜視図である。図３は、電源装置４の後面側からの斜視図である。図４は、電源装置４の前面側からの分解斜視図である。図５は、電力供給部６の前面側からの斜視図である。図６は、図２のVI−VI線に沿った断面図である。
なお、以下で記載する「上」、「下」、「左」、「右」は、図２における図面視において、上下左右に相当するものである。また、以下で説明する「前面」、「背面」も、図２における図面視において、前面および背面に相当するものである。
【００１９】
まず、電源装置４の概略構成について、図２及び図３を参照して説明する。
電源装置４は、電源コネクター９（図１参照）を介して外部から供給される交流電流に対して、ＡＣ／ＤＣ変換を実施し、所定の直流電圧を生成して、プロジェクター１の各部材に出力する。この電源装置４は、図２に示すように、機器筐体としての略長方形箱状の電源筐体５と、この電源筐体５内に設けられた電力供給部６と、この電力供給部６に設けられた後述する複数の電子部品６２（図５，６参照）のうち温度検出対象の電子部品（以下、検出対象部品６２０（図５，６参照）と称す）の温度を検出する温度検出部７と、この温度検出部７を支持するとともに電源筐体５に取り付けられる支持部８とを備える。
【００２０】
電源筐体５は、断面略コ字状の筐体基部５１と、当該筐体基部５１の略コ字状の一部を塞ぐように筐体基部５１に取り付けられる右背面部５２とにより、略長方形筒状に形成されている。
筐体基部５１は、金属板により形成され、電源筐体５の前面を構成する前面部５１１と、上面を構成する第１面部としての上面部５１２と、下面を構成する下面部５１３とを備える。また、筐体基部５１には、前面部５１１、上面部５１２、及び下面部５１３の内面を覆うように絶縁シート５３が設けられている。
右背面部５２は、樹脂により形成され、電源筐体５の背面のうち右側部分を閉塞するように設けられている。
【００２１】
また、電源筐体５の右面は、開口されており、電源筐体５外の空気を電源筐体５内に導入する吸気口５４として機能する。さらに、電源筐体５の背面のうち右背面部５２で閉塞されていない左側部分は、支持部８の第１支持板部８６及び第２支持板部８７を第１支持板部８６の面方向に沿って挿通可能な挿通開口部５５を構成している。ここで、右背面部５２と挿通開口部５５とにより、本発明の第２面部が構成されている。
【００２２】
支持部８は、樹脂により形成されており、図３にも示すように、支持板保持部８１を備える。この支持板保持部８１は、背面左側に位置する略円筒状のファン配置部８２と、このファン配置部８２から右側に向けて略平板状に延びる中央平面部８３とを備える。
ファン配置部８２の背面側の開口部は、蓋部８４により閉塞されている。そして、ファン配置部８２及び蓋部８４は、電源筐体５内の空気を外部に排出する排気部８５を構成している。すなわち、図３に示すように、排気部８５の左側面には、排気部８５内部と外部とを連通する排気口８５１が開口形成されている。また、排気部８５内には、電源筐体５内の空気を吸い込んで排気口８５１を介して外部に排出するシロッコファン１０が設けられている。
また、中央平面部８３には、前面側に延びる略板状の第１支持板部８６と、この第１支持板部８６と対向するように延びる略板状の第２支持板部８７とを備える。
そして、電源筐体５と支持部８とで形成された略長方形筒状の左面は、樹脂製の左面部５６により閉塞されている。
このように、金属製の筐体基部５１の内面に設けられた絶縁シート５３と、それぞれ樹脂製の右背面部５２、左面部５６、及び支持部８とにより囲まれる空間に、電源コネクター９を介して供給された電力を外部に供給する電力供給部６が配置されている。
【００２３】
次に、電源装置４の詳細構成について、図４、図５、及び図６を参照して説明する。
筐体基部５１の上面部５１２の左右方向略中央には、図４に示すように、前面部５１１側に向けて矩形状に切り欠かれた切欠部５１４が設けられている。この切欠部５１４は、第１支持板部８６の平面形状（上面視の形状）に対応する形状に形成されている。また、前面部５１１の内面側には、絶縁シート５３を間に挟んで、電力供給部６の電源基板６０が取り付けられている。
この電源基板６０の一面には、図５に示すように、電源筐体５の背面側に向けて略板状に延びる放熱板６１が設けられている。そして、この放熱板６１の上面には、６個の電子部品６２が、前後方向に並んで配置されている。
ここで、６個の電子部品６２のうち、右から３番目の電子部品６２は、温度検出部７での温度検出の対象である検出対象部品６２０であり、他の電子部品６２は、右から順に、温度検出の対象で無い検出非対象部品６２１，６２２，６２３，６２４，６２５である。
【００２４】
また、図４及び図６に示すように、支持部８を構成する第１支持板部８６は、中央平面部８３の上端側から前面側に向けて延びるように設けられている。一方、第２支持板部８７は、この第１支持板部８６の下側において、第１支持板部８６と略平行に延びるように設けられている。
【００２５】
第１支持板部８６は、長方形板状の支持板中央部８６１を備える。この支持板中央部８６１における左右方向略中央よりも若干左側には、嵌合開口部８６２が開口形成されている。また、支持板中央部８６１の右端には、右斜め下方向に延びる右傾斜部８６３が設けられ、左端には、左斜め下方向に延びる左傾斜部８６４が設けられている。さらに、右傾斜部８６３の延出方向先端には、右側に開口する断面略コ字状の右取付案内部８６５が設けられ、左傾斜部８６４の延出方向先端には、左側に開口する断面略コ字状の左取付案内部８６６が設けられている。
なお、右取付案内部８６５及び左取付案内部８６６の略コ字状をそれぞれ構成する上下の板状部分は、前後方向の長さ寸法が、支持板中央部８６１、右傾斜部８６３、及び左傾斜部８６４の長さ寸法よりも大きく設定されている。
【００２６】
第２支持板部８７は、支持板中央部８６１の下方に設けられている。この第２支持板部８７の前後方向の長さ寸法は、右取付案内部８６５及び左取付案内部８６６と略等しく設定され、左右方向の長さ寸法は、支持板中央部８６１よりも若干小さく設定されている。
【００２７】
温度検出部７は、サーミスタ基板７１と、このサーミスタ基板７１の下面に設けられたサーミスタ７２とを備える。そして、温度検出部７は、サーミスタ基板７１が支持板中央部８６１の上面に配置され、かつ、サーミスタ７２が嵌合開口部８６２に嵌め込まれることで、支持部８に支持されている。
【００２８】
そして、第１支持板部８６及び第２支持板部８７が設けられた支持部８を、絶縁シート５３及び電力供給部６が設けられた電源筐体５に取り付ける際には、右取付案内部８６５及び左取付案内部８６６の略コ字状で囲まれた空間に切欠部５１４の縁を挟み込み、支持部８を第１支持板部８６の面方向に沿って案内する。そして、右傾斜部８６３及び左傾斜部８６４の前面側端部が、切欠部５１４から露出する絶縁シート５３に当接したら、図示しないねじで支持部８を電源筐体５に固定する。
【００２９】
この電源筐体５と支持部８との固定により、電源筐体５には、図６に示すように、吸気口５４から（図６中右側から）電源筐体５内に導入された空気を、電源基板６０、電子部品６２を冷却するように導き、排気口８５１から（図６中左側から）排出するための主流路Ｃｍが形成される。この主流路Ｃｍの上端は、絶縁シート５３、右取付案内部８６５、第２支持板部８７、左取付案内部８６６、及び絶縁シート５３により規定され、下端は、放熱板６１により規定されている。
【００３０】
また、電源筐体５には、主流路Ｃｍにおける検出対象部品６２０に対向する位置から上側に分岐する副流路Ｃｓが形成される。この副流路Ｃｓの上端は、第１支持板部８６により規定され、下端は、第２支持板部８７により規定され、背面側は中央平面部８３で規定されている。そして、副流路Ｃｓにおける右端は、主流路Ｃｍを流れる空気の一部を副流路Ｃｓ内に導くための副流路空気導入部Ｃａとして機能し、左端は、温度検出部７で温度が検出された後の空気を検出非対象部品６２４に対向する位置に導く、すなわち主流路Ｃｍに再度導く副流路空気導出部Ｃｄとして機能する。この副流路空気導出部Ｃｄは、副流路空気導入部Ｃａよりも小さく形成されている。
【００３１】
また、絶縁シート５３は、切欠部５１４の縁部、すなわち上面部５１２における右取付案内部８６５内及び左取付案内部８６６内でそれぞれ挟まれる端部まで設けられる。このように、絶縁シート５３を設けることで、右取付案内部８６５及び左取付案内部８６６の下方に位置する電子部品６２と、金属製の上面部５１２との絶縁距離が長くなり、電子部品６２の絶縁破壊を防止できる。
【００３２】
〔温度検出部による検出対象部品の温度検出〕
次に、温度検出部７による検出対象部品６２０の温度検出について、図６を参照して説明する。
電源装置４による電力供給中には、電源基板６０や電子部品６２に電流が流れるため、これらの温度が上昇する。制御装置は、シロッコファン１０を駆動させ、電源筐体５内に電源基板６０や電子部品６２を冷却するための空気を導入する。
【００３３】
この導入された空気（導入空気Ａ０）は、図６に示すように、主流路Ｃｍに配置された検出非対象部品６２１，６２２、検出対象部品６２０に順次接触する。この接触により、検出非対象部品６２１，６２２、検出対象部品６２０が冷却される。一方で、検出対象部品６２０に接触した直後の被加温空気Ａ１（検出対象部品６２０を介した被加温空気Ａ１）の温度は、検出対象部品６２０の冷却前の温度とほぼ等しくなる。
そして、被加温空気Ａ１は、検出対象部品６２０に対向する位置に設けられた主流路Ｃｍと副流路Ｃｓとの分岐点付近に到達すると、主流路Ｃｍを流れる主被加温空気Ａ１１と、副流路空気導入部Ｃａから副流路Ｃｓ内に取り込まれる副被加温空気Ａ１２とに分かれる。
【００３４】
この後、副被加温空気Ａ１２から分かれた主被加温空気Ａ１１は、主流路Ｃｍ内の検出非対象部品６２３に接触する。
一方、副被加温空気Ａ１２は、副流路Ｃｓを辿った後、副流路空気導出部Ｃｄを介して主流路Ｃｍ内に再度導かれる。すなわち、副被加温空気Ａ１２は、副流路Ｃｓ外に導かれる。
この際、副流路Ｃｓ内に露出しているサーミスタ７２により、副被加温空気Ａ１２の温度が検出され、この検出結果は、サーミスタ基板７１を介して制御装置へ出力される。制御装置は、この検出結果に基づいて、シロッコファン１０の回転数を制御する。例えば、制御装置は、サーミスタ７２での検出結果に基づき、検出対象部品６２０を更に冷却する必要があると判断すると、シロッコファン１０の回転数を上げる。
また、サーミスタ７２での温度検出後に主流路Ｃｍ内に導かれる温度検出後空気Ａ１３は、主被加温空気Ａ１１と混ざった後に検出非対象部品６２４，６２５に接触することでこれらを冷却し、排出空気Ａ２として排気口８５１から電源筐体５外に排出される。
【００３５】
上述した本実施形態によれば、以下の効果がある。
本実施形態では、複数の電子部品６２が設けられた電源筐体５内に、空気を導く主流路Ｃｍを設けるとともに、検出対象部品６２０の温度を検出する温度検出部７を、支持部８で支持させている。そして、支持部８に、主流路Ｃｍの検出対象部品６２０を介した空気の一部を取り込む副流路Ｃｓを形成している。
このことにより、検出対象部品６２０の熱で温められた副被加温空気Ａ１２を副流路Ｃｓ内に取り込み、当該副被加温空気Ａ１２の温度を温度検出部７により検出することで、検出対象部品６２０のみの温度を適切に検出できる。さらには、検出対象部品６２０の近傍に温度検出部７を配置していないので、温度検出部７の絶縁破壊を防止できる。
【００３６】
また、温度検出部７で温度が検出された後の温度検出後空気Ａ１３を、副流路空気導出部Ｃｄにより副流路Ｃｓ外部に導いている。
このことにより、温度検出後空気Ａ１３と、新たに副流路Ｃｓ内に導かれる副被加温空気Ａ１２とが副流路Ｃｓ内で混ざることを防止でき、検出対象部品６２０の温度を適切に検出できる。
【００３７】
さらに、副流路空気導出部Ｃｄは、温度検出後空気Ａ１３を主流路Ｃｍに再度導いている。
このことにより、主流路の空気の量を増やすことができ、検出非対象部品６２４の冷却効率を向上できる。
【００３８】
また、支持部８の支持板保持部８１と第１支持板部８６と第２支持板部８７とで挟まれた空間により、副流路Ｃｓを構成しているため、簡単な構成で副流路Ｃｓを設けることができる。
【００３９】
また、電源筐体５に、第１支持板部８６の平面形状に対応する形状の切欠部５１４と、第１支持板部８６及び第２支持板部８７を第１支持板部８６の面方向に沿って挿通可能な挿通開口部５５とを設けている。そして、第１支持板部８６に、右取付案内部８６５及び左取付案内部８６６を設けている。
このことにより、右取付案内部８６５及び左取付案内部８６６の略コ字状で囲まれた空間に切欠部５１４の縁を挟み込み、支持部８を第１支持板部８６の面方向に沿って案内するだけの簡単な方法で、支持部８を電源筐体５に取り付けることができる。また、温度検出部７を支持する第１支持板部８６に、右取付案内部８６５及び左取付案内部８６６を設けているため、部品点数の増加を抑制できる。
【００４０】
なお、本発明は前述の実施形態に限定されるものではなく、本発明の目的を達成できる範囲での変形、改良等は本発明に含まれるものである。
前記実施形態では、温度検出後空気Ａ１３を副流路Ｃｓの外部に導くための副流路空気導出部Ｃｄを設けていたが、これに限らず、第２支持板部８７の左傾斜部８６４側の端部を左傾斜部８６４に連結させて副流路空気導出部Ｃｄを設けなくても構わない。
また、前記実施形態では、副流路空気導出部Ｃｄにより温度検出後空気Ａ１３を主流路Ｃｍに再度導いていたが、これに限らず、電源筐体５外部に導いても構わない。
さらに、第１支持板部８６と第２支持板部８７との間に形成された空間を副流路Ｃｓとしたが、これに限らず、主流路Ｃｍ上に管状の部材を設け、当該部材の内部空間を副流路Ｃｓとしても構わない。
そして、右取付案内部８６５及び左取付案内部８６６を設けずに、支持部８と電源筐体５とをねじで固定しても構わない。
【００４１】
前記実施形態では、本発明の電子機器として電源装置４を説明したが、これに限らず、例えば、パーソナルコンピューター、テレビ等の電源装置以外の電子機器としても構わない。
また、電源装置４は、プロジェクター１に用いられるものに限らず、パーソナルコンピューター、テレビ等に用いられるものであっても構わない。
【産業上の利用可能性】
【００４２】
本発明は、温度検出対象の電子部品の温度を適切に検出可能なため、電子機器やプロジェクターに利用できる。
【符号の説明】
【００４３】
１…プロジェクター、４…電源装置（電子機器）、６…電力供給部、７…温度検出部、８…支持部、９…電源コネクター、３１…光源装置、３６…光変調装置、３９…投射レンズ（投射光学装置）、５１…電源筐体（機器筐体）、５２…右背面部（第２面部）、５５…挿通開口部（第２面部）、６２…電子部品、８１…支持板保持部、８６…第１支持板部、８７…第２支持板部、５１２…上面部（第１面部）、５１４…切欠部、８６５…右取付案内部、８６６…左取付案内部、Ｃｄ…副流路空気導出部、Ｃｍ…主流路、Ｃｓ…副流路。
【図１】
0005772208.tif 000002
【図２】
0005772208.tif 000003
【図３】
0005772208.tif 000004
【図４】
0005772208.tif 000005
【図５】
0005772208.tif 000006
【図６】
0005772208.tif 000007